(57)【特許請求の範囲】
【請求項１】
一側支柱部と、基端開口部を介して前記一側支柱部の先端側からの挿入が自在な中空部を有し、かつ、パネルの吊持を自在に形成された他側支柱部とで構成され、
前記一側支柱部は、その長さ方向と直交する方向に延設された支腕部と、該支腕部を介して一側支柱部と平行する位置関係で進退自在に螺合配置された押圧用ねじ体とを備え、
前記他側支柱部は、基端部にて前記押圧用ねじ体の先端面との対面側に突設された基台部と、前記一側支柱部の挿入部位に圧接させるべく前記中空部内への進退を自在に螺合配置された位置固定用ねじ体とを備えることを特徴とするパネルスタンド。
【請求項２】
前記一側支柱部は、前記押圧用ねじ体の先端面との当接を自在に遊挿された介装片を備えることを特徴とする請求項１に記載のパネルスタンド。
【請求項３】
前記一側支柱部と他側支柱部の前記中空部とは、相互の回転を阻止する断面形状を付与して形成したことを特徴とする請求項１又は２に記載のパネルスタンド。
【発明の詳細な説明】
【０００１】
【発明の属する技術分野】
本発明は、限られた展示スペースを利用して展示される展示品に関する説明内容等を表示するパネルを場所をとらずに設置でき、さらにはその携行や保管も容易なパネルスタンドに関する技術である。
【０００２】
【従来の技術】
図４は、従来から一般に用いられているパネルスタンドの一例を示す説明図であり、そのうちの（ａ）はパネルを展示する際の状態での斜視図を、（ｂ）は不使用時の状態での側面図をそれぞれ示す。
【０００３】
同図によれば、図示しない展示台上に載置されるパネルスタンド１は、パネルＰを載置するための受け棚部４をその表面３が備えたスタンド本体部２と、該スタンド本体部２の左右両側もしくは背面側に設けられた軸支部６にて所定角度の範囲で開閉自在に軸支された支え板部５とで形成されている。また、その不使用時には、軸支部６を介して支え板部５をスタンド本体部２の背面側に寄せて平板化してコンパクト化できるようになっている。
【０００４】
【発明が解決しようとする課題】
しかし、図４に示すパネルスタンド１は、パネルＰを載置した使用時においては、支え板部５側を開いてスタンド本体部２を背面側から支えてやる必要があるので、展示スペースの乏しい展示台上でこれを載置するスペースを確保するのが困難になる不都合があった。
【０００５】
さらに、上記パネルスタンド１は、その不使用時にコンパクト化できるとはいえ、スタンド本体部２の表面積自体は不変であることから、運搬時や保管時に嵩張ってしまう不便もあった。
【０００６】
本発明は、従来からあるパネルスタンドにみられた上記課題に鑑み、パネルを場所をとらずに設置できるほか、よりコンパクトな状態で運搬したり保管したりすることができるパネルスタンドを提供することを目的とする。
【０００７】
【課題を解決するための手段】
本発明は、上記目的を実現すべくなされたものであり、一側支柱部と、基端開口部を介して前記一側支柱部の先端側からの挿入が自在な中空部を有し、かつ、パネルの吊持を自在に形成された他側支柱部とで構成され、前記一側支柱部は、その長さ方向と直交する方向に延設された支腕部と、該支腕部を介して一側支柱部と平行する位置関係で進退自在に螺合配置された押圧用ねじ体とを備え、前記他側支柱部は、基端部にて前記押圧用ねじ体の先端面との対面側に突設された基台部と、前記一側支柱部の挿入部位に圧接させるべく前記中空部内への進退を自在に螺合配置された位置固定用ねじ体とを備えることに構成上の特徴がある。
【０００８】
この場合、前記一側支柱部は、前記押圧用ねじ体の先端面との当接を自在に遊挿された介装片を備えるものであることが好ましい。また、前記一側支柱部と他側支柱部の前記中空部とは、相互の回転を阻止する断面形状を付与して形成するのが望ましい。
【０００９】
【発明の実施の形態】
図１は、本発明の一例についての要部を拡大して示す概略説明図であり、パネルスタンド１１の全体は、一側支柱部１２と、基端開口部２５を介して一側支柱部１２の先端側からの挿入が自在な中空部２６を有し、かつ、図３に示すようにパネルＰの吊持が自在な他側支柱部２２とで構成されている。
【００１０】
このうち、適宜の規格サイズの金属材や合成樹脂材により形成される一側支柱部１２は、基端部１３を含む適宜位置にてその長さ方向と直交する方向に延設された支腕部１４を備えている。
【００１１】
また、該支腕部１４は、一側支柱部１２と平行する方向に螺刻された雌ねじ部１５を有しており、該雌ねじ部１５にはその基端１５ａ側から押圧用ねじ体１６が進退自在に螺合配置されている。なお、押圧用ねじ体１６には、その基端側に手指で操作するための抓み部１７を図示例のように付設しておくのが望ましいが、ドライバーの刃が掛止されるプラス溝やマイナス溝をその基端面に設けたり、他の道具により強制的に回転できる適宜構造を付与しておくこともできる。
【００１２】
さらに、一側支柱部１２は、通孔１９を介して押圧用ねじ体１６の先端面１６ａとの当接を自在に遊挿された介装片１８を備えている。なお、必要により遊挿される介装片１８に代え、押圧用ねじ体１６の先端面１６ａに相手材への面接触が自在な押当て片を付設しておくこともできる。
【００１３】
一方、一側支柱部１２と同様に適宜の規格サイズの金属材や合成樹脂材により形成される他側支柱部２２は、基端部２３にて押圧用ねじ体１６の先端面１６ａとの対面側に突設された基台部２４を備えて形成されている。
【００１４】
また、他側支柱部２２は、基台部２４とは反対側に位置する外側面３０側からその長さ方向と直交する位置関係で中空部２６に向けて螺刻された雌ねじ部３１を備えている。なお、該雌ねじ部３１は、図示例以外の位置から中空部２６に向けて螺刻して形成することもできる。
【００１５】
さらに、該雌ねじ部３１には、中空部２６内に位置している一側支柱部１２の挿入部位への圧接を自在とした位置固定用ねじ体２７が螺合配置されている。なお、位置固定用ねじ体２７にもその基端側に手指で操作するための抓み部２８を図示例にように付設しておくのが望ましいが、ドライバーの刃が掛止されるプラス溝やマイナス溝をその基端面に設けたり、他の道具により強制的に回転できる適宜構造を付与しておくこともできる。
【００１６】
さらにまた、他側支柱部２２は、その先端面２９が樹脂材などからなるカバー部３０により塞がれており、該カバー部３０の近傍に位置する少なくとも一カ所以上の適宜部位には、パネルＰに付設された掛止部５０を引っ掛けるためのフック片３０が付設されている。
【００１７】
しかも、一側支柱部１２は、他側支柱部２２の中空部２６内に位置決めして挿入した後、回転して相互の位置関係が変動することのないように、回転を阻止し得る断面形状を付与して形成するのが望ましい。具体的には、図１のＡ−Ａ線矢視方向での端面図である図２（ａ）に示されているように、他側支柱部２２の中空部２６の断面形状が四角形であれば、一側支柱部１２の断面形状もやや小さな四角形とするなど、相互が回転することのない適宜の断面形状を付与して形成するのが好ましい。また、必要によっては、一側支柱部１２と他側支柱部２２の中空部２６との断面形状をそれぞれ円形として、相互に回転できるようにしておくこともできる。
【００１８】
さらに、一側支柱部１２と、これに遊挿される介装片１８とについても、相互が回転して位置関係が変動することのないように、回転を阻止し得る断面形状を付与して形成するのが望ましい。具体的には、図１のＢ−Ｂ線矢視方向での端面図である図２（ｂ）に示されているように、一側支柱部１２の断面形状が四角形であれば、介装片１８の通孔１９の断面形状もやや大きな四角形とするなど、相互が回転することのない適宜の断面形状を付与して形成するのが好ましい。また、必要によっては、一側支柱部１２と通孔１９との断面形状をそれぞれ円形として、相互に回転できるようにしておくこともできる。
【００１９】
次に、上記構成からなる本発明の作用を図１に示す例に基づき図３を参照しながら以下に説明する。
【００２０】
すなわち、図３に示すように展示台５２の天板部５３上には、計測機器等の展示品５１が展示されており、該展示品５１は、必要事項等を表示したパネルＰにより性能等の必要情報を人々に知らせることができるようになっている。
【００２１】
まず、中空部２６を介して他側支柱部２２内に一側支柱部１２を挿入し、天板部５３の板厚よりもその長さをやや長くして基端部１３側を突出させた状態で、位置固定用ねじ体２７を中空部２６側に送り込んで一側支柱部１２に圧接させることによりこれを他側支柱部２２側に位置固定する。
【００２２】
このとき、一側支柱部１２が他側支柱部２２の中空部２６との関係で回転を阻止し得る断面形状が付与されているときは、一旦組み合わせた後に相互の位置関係に変動を生じさせることがなくなるので、取り付け作業をより円滑に行うことができることになる。
【００２３】
次いで、他側支柱部２２の基台部２４を天板部５３の例えば後縁部５４上に載置し、しかる後、一側支柱部１２に遊挿させてある介装片１８を他側支柱部２２の基台部２４と向き合わせ、かつ、天板部５３の下面側に位置させた上で、押圧用ねじ体１６を天板部５３の下面側に向けて送り込む。
【００２４】
押圧用ねじ体１６を送り込むことにより、介装片１８も押し上げられ、やがて介装片１８は図３に示すように天板部５３の下面側に圧接するに至る。これにより、天板部５３には、一側支柱部１２と他側支柱部２２とを一体化させたパネルスタンド１１がその板厚に柔軟に対応させながら固定配置されることになる。なお、介装片１８を介在させていない場合には、押圧用ねじ体１６の先端面１６ａ側を天板部５３の下面側に圧接させて固定配置することができる。
【００２５】
このようにパネルスタンド１１を天板部５３に固定させた後は、他側支柱部２２が備えるフック片３１に掛止部５０を引っ掛けることにより、パネルＰをパネルスタンド１１の長さ方向に沿わせて吊持することができる。
【００２６】
このため、展示台５２の天板部５３の面積が狭小な場合であっても、最小限の設置スペースでパネルスタンド１１を設置することができ、展示品５１の展示スペースを容易に確保することができる。
【００２７】
また、パネルスタンド１１を天板部５３から取り外す場合には、取付け作業と逆の手順を踏むことにより簡単に行うことができる。
【００２８】
さらに、パネルスタンド１１を天板部５３から取り外した後は、介装片１８を介在させた一側支柱部１２をその支腕部１４を残した状態で他側支柱部２２内に挿入し、位置固定用ねじ体２７を緊締螺着することにより、コンパクトに一体化させたパネルスタンド１１とすることができる。
【００２９】
したがって、このような状態のパネルスタンド１１は、容易に持ち運ぶことができるほか、保管する際の省スペース化をも実現することができる。
【００３０】
以上は、１本のパネルスタンド１１を用いる場合を例に説明しているが、パネルＰのサイズ等に応じて２本以上のパネルスタンド１１を用いることもできる。また、これを使用する者の要望に応じてパネルＰ以外のより汎用性に富む用途にも用いることができる。
【００３１】
【発明の効果】
以上述べたように本発明によれば、パネルスタンドをポール状に固定配置することができるので、狭隘な展示スペースしか確保できない場合であってもパネルともども展示品を容易に展示することができる。また、一側支柱部と他側支柱部との組合せにより天板部の板厚に柔軟に対応させながらパネルスタンドを天板部等に固定配置することができる。
【００３２】
さらに、固定後のパネルスタンドは、他側支柱部の長さに相当する高さを必ず確保することができるので、天板部等の厚みの如何にかかわらずその上面からのパネル位置を常に一定に保持させて吊持することができる。
【００３３】
しかも、不使用時においては、一側支柱部と他側支柱部をより短寸化して一体化できるので、容易に持ち運ぶことができるほか、保管する際の省スペース化をも実現することができる。
【図面の簡単な説明】
【図１】本発明の一例についての要部を拡大して示す概略説明図。
【図２】部材相互の関係を示す説明図であり、そのうちの（ａ）は図１におけるＡ−Ａ線矢視方向での端面図を、（ｂ）は図１におけるＢ−Ｂ線矢視方向での端面図をそれぞれ示す。
【図３】図１に示す本発明の一例についての使用状態を示す側面図。
【図４】従来から一般に用いられているパネルスタンドの一例を示す説明図であり、そのうちの（ａ）はパネルを展示する際の斜視図を、（ｂ）は不使用時の状態での側面図をそれぞれ示す。
【符号の説明】
１  パネルスタンド
２  パネル本体部
３  表面
４  受け棚部
５  支え板部
６  軸支部
１１  パネルスタンド
１２  一側支柱部
１３  基端部
１４  支腕部
１５  雌ねじ部
１５ａ  基端
１６  押圧用ねじ体
１６ａ  先端面
１７  抓み部
１８  介装片
１９  通孔
２２  他側支柱部
２３  基端部
２４  基台部
２５  基端開口部
２６  中空部
２７  位置固定用ねじ体
２８  抓み部
２９  先端面
３０  カバー部
３１  フック片
３２  外側面
３３  雌ねじ部
５０  掛止部
５１  展示品
５２  展示台
５３  天板部
５４  後縁部
Ｐ  パネル
【図１】
0004653328.tif 000002
【図２】
0004653328.tif 000003
【図３】
0004653328.tif 000004
【図４】
0004653328.tif 000005